(57)【要約】      （修正有）【課題】上下繋ぎに靴カバーも備え、着脱が容易で、頭から爪先まで全て濡れることがないヘッドカバーと繋ぎ靴カバー付雨合羽を提供する。【解決手段】ヘッドカバー１と、雨合羽本体２と、靴カバー２Ｇとを有する雨合羽において、前記ヘッドカバーは、円形部分１Ａと、前記円形部分に接続される円筒形部分１Ｂと、前記円筒形部分に接続される裾広がり部分１Ｃとを有し、前記円形部分は、空気孔を備える。前記円筒形部分は、外径から内径に向けて斜め上向きの孔を備え、前記裾広がり部分は４つの孔を備え、前記４つの孔に、それぞれ差し込まれたバックル５、６とを備え、前記バックルに取り付けられたゴムベルト７を備える。【選択図】図１
0003182867.tif 000002
【実用新案登録請求の範囲】
【請求項１】
本考案は、以前から使用されている雨合羽のフード部分を個人考案のヘッドカバーに置き換え、雨合羽本体の上下着も個人考案で繋ぎ一着物に靴カバーも添え付ける、ヘッドカバーと繋ぎ靴カバー付雨合羽の説明とする。
ヘッドカバーの素材は透明な物を使い、頭から頸・肩に至るまで、すっぽり被れる工夫を凝らし、このヘッドカバーの天辺に、雨を遮る工夫で空気孔を数個設け更に鼻頭の辺りから頸下辺りまでの素材を斜めに下ろし、裾に広がりを試み先に述べた頭上天辺の空気孔と風の交流を計ることで息苦しさを少なくして、またヘッドカバー内側も曇らせることのないように試みる。外の音を取り入れる為に雨が入り込まない工夫も施し、耳位置辺りに外径から内径の斜め上向きに数十個の穴を明ける。顔面や後頭面となる部分を円筒形にして、顔面も後頭面も気にすることなく無造作に被る事ができ、この円筒部分にコーティングも施す。風でヘッドカバーを飛ばさない工夫としては、耳巾強分の素材を少し厚めにし、そのまま肩まで至らし、至ったところで前肩巾から後ろ肩巾に添って丸みを施し定着させ、腕を通せる工夫として、ヘッドカバー両肩の前肩巾と後ろ肩巾に添って４か所に穴を明けバックルを通し、初回のみの作業として、このバックルにゴムベルトを乗せたり潜らせたりしたら腕を通しあとは、着用者各位のゴムベルト調節により完全固定させることで、頸も上下左右と自由に動かせることで、自由な視界が取れ、二輪車の走行の時は勿論で、他にも手旗信号を送る人や児童や学童を誘導する人、荷物の積み下ろしをする人、また風の強い時など身だしなみとして、整えた顔や髪型を保護する人などにも役立てて欲しい。フードでは出来ない部分を個人考案のヘッドカバーで安心な二輪車走行や先に述べた利用方法にも提供したい。
【請求項２】
雨合羽本体の上下着を、個人考案の繋ぎに靴も保護する靴カバーも添えて、襟首から足の爪先に至る全てを繋ぎ１着物で無理なく対応出来る、繋ぎ靴カバー付き雨合羽の説明とする。繋雨合羽で繋ぎ特有の全身威圧感を和らげるため、襟首に襞を取り、襟は長めのタートルネックにし、前身頃はウエストラインの切り替えを付けずに、襟首から股下まで、１本のファスナーで仕上げ股下の縫い目集合位置には、空気孔を設け威圧感を補う工夫や両脇縫い線で、袖八分位から足の踝辺りまでを左右２本のファスナー使用で、下半身と上半身の開閉を行いまた窮屈感を補うため、ヒップや膝辺りに脇腺縫いや後ろ身頃のウエストラインの縫い目を使い、沢山の襞を施すことで、突っ張り感や窮屈感をかなり軽減出来るところを個人考案とする。靴カバー部分をズボン裾に繋ぎ合わせる工夫として、のり付け接着加工に強度を保つため、縫製加工を接着加工の上から施し、繋ぎ１着物で仕上げる。ファスナー開閉口初めを踝辺りからとすることで、靴カバーの着脱を脇線縫いファスナーから履いた靴の爪先を少し下に向けるように履くことで、素材その物に靴カバー足首のＲ部分の内側踝から、外側踝辺りまで数本の横折り畳みの襞を設け、着脱の時や靴カバーをズボン裾に繋ぎ合わせる加工にも役立たせる、この部分も個人考案とする。足首辺りに長めのベルトを設け、ズボン裾巾の調整や、歩行時に脱いだ靴カバー部分を折るようにして止める工夫も考慮に入れた。尚、整ったらファスナーフックを持って、膝や腰や脇下を通り袖八分に至ったところでファスナーロックとなり、雨避けとして全てのファスナー部分に持ち出しをつける。色は老若男女に問わない、明るさを少し控えめに抑えた煉瓦色とする。手袋部分を付けない理由としては、グリップ握りで滑り易く摩耗も激しい。
【考案の詳細な説明】
【技術分野】
【０００１】  個人考案は、雨天に使用するが故、簡単且つ数十秒で着脱が出来、頭の天辺から爪先に至る全てを濡らさない工夫を凝らした、ヘッドカバーと繋ぎ靴カバー付き雨合羽に関する物。
【背景技術】
【０００２】  フード付雨合羽で、フードの摩擦が生じ、強風のとき等生え際辺りの紐を締めることで目もとまで被さがり、雨で目を開けることもままならず、整えた顔や髪型もむなしく足先においては履物も濡らす。この対応策として拝見させて頂いた文献の多くは沢山の部品が取り付けられて雨の対応に手間がかかった。
【先行技術文献】
【特許文献】
【０００３】
【特許文献１】  ２０１０−３７７０５
【特許文献２】  ２００８−１３８９６
【特許文献３】  ２０１２−１８７２
【特許文献４】  ３１６１９３１・３１７４０３５
【考案の概要】
【考案が解決しようとする課題】
【０００４】    個人考案で、フードに無いヘッドカバーの特徴とするところを説明とするが、ヘッドカバーが風で飛ばされない工夫や、内側を曇らせない工夫と通気性も考慮に入れた設計を試みる。【０００５】    繋ぎに関しては、首辺りが苦しく感じた件や全身に圧迫感が掛けられた件と、ヒップや膝の曲げ伸ばしに関しても突張感や窮屈感が有った等を補うため、全身に余裕を取ってさらに足元に関しては、靴も濡れて不快感が有った等の課題を補填する事など。
【課題を解決するための手段】
【０００６】    ヘッドカバーが風で飛ばされない工夫としては、頭の天辺から肩に至るまで全部をすっぽり被り、肩に至ったところで腕を通し固定させる工夫でバックルを使いゴムベルトを乗せたり潜らせたりする等、またヘッドカバー内側を曇らせない工夫として頭の天辺に数十個の孔を設けたり、素材の課程で鼻の辺りから顎の下辺りまで、斜めに下ろし頭上数十個の孔と風の交流も試みて通気性を考慮に入れる。【０００７】    繋ぎに関しては、衿首に少しの襞を設けることや、ヘルメット着用者が個人考案の繋ぎ靴カバー付き雨合羽を着用する場合、ヘルメット全体が丸めに作られているため、雨合羽の襟が短かったりすると、後頭部から頸に雨がつたわることを防ぐ工夫として襟を長めのタートルネックにし、着用者に合った襟の折込を可能にすることや、ヒップや膝には沢山の縦襞や横襞を取り入れ全身に余裕を与え、頸から爪先に至るまで全てを極力、拘束せずに靴カバーも添えて全体を凝らした一着物とする。
【考案の効果】
【０００８】    本考案は、強風雨が多くなった現在においても、二輪車を乗用する人が多く、規制も厳しくなっている今もまだまだ片手に傘、片手にハンドルの危ない二輪車走行、０００２で示した件でままならず、歩行の傘も無理等や、また強風の歩行で整えた髪型も虚しく砂埃を浴びる等に、個人考案の請求１と請求項２で申請する、ヘッドカバーと繋ぎ靴カバー付き雨合羽を着用者の、時と場合に応じた着熟しと組み合わせで、利便性を感じて欲しい。
【図面の簡単な説明】
【０００９】
【図１】  ヘッドカバーと繋ぎ靴カバー付雨合羽の全体図
【図２】  ベッドカバー天辺の空気孔部分の図
【図３】  後ろ肩巾用バックルの図
【図４】  前肩巾用バックルの図
【考案を実施するための形態】
【００１０】    考案の実施の形態を図に基づいて説明する。
【００１１】    図１は全体図。図１−１はヘッドカバー本体で天井はＲにし、このＲ部分の先端裏に空気孔を設ける為、図２−１Ａ−１円形全体に添って庇を作り、この庇に奥行約３ｃｍの深さを設け、１Ａ−２軒下に約３ｃｍ巾の円形帯状を設け、この帯状に添って、１Ａ−３直径約１．５ｃｍの孔を数個明ける。図１−１Ｂ顔面部分は円筒形にして、耳巾強位から肩巾に至る部分の素材を少し厚めにして、耳の辺りは、外径から内径の斜め上向きに直径約２ｍｍの穴を数十個明けて、１Ｃ部分を素材課程において両頬骨の巾分を顎下辺りまで、鼻頭辺りを基準に約２３度斜に下ろし、この広がった裾巾と図２−１Ａ−３空気孔で風の流通を取る。
【００１２】    図１−１ヘッドカバーの全てが肩の辺りまで至ったら、１Ｄ前肩巾から後ろ肩巾に添いＲを付け定着させる。風でヘッドカバーが飛ばない工夫として、図１−７ゴムベルトを脇下に通すため、１Ｄを前肩巾と後ろ肩巾に添って抜けるまで両肩巾の前後、４本の孔を明け、この穴を１Ｅとしこの１Ｅに、図３後ろ肩巾用バックルを両肩とも図３−１の部分を最後まで押し込み、この図３−２にゴムベルトを跨がせ、ゴムベルト先端部分の長さをバックル長さの２倍位まで跨がせ、この先端部分を図３−３と４のバックル空間に入れて４の上に寄り添わせるように乗せてゴムベルトを引っ張る。後端部分のゴムベルトは図３−２と３のバックル空間に入れて再び３と４の空間に入れ引っ張る、この時点でゴムベルトの先端部分と後端部分のゴムベルトが重なり、この重なったゴムベルトを４の上に乗せる、この作業を左右の後ろ肩巾で初回のみ行う。図４前肩巾用バッツクルの１の部分を両肩の前肩巾で図１−１Ｅの穴に最後まできちんと押し込み安定させて、図１−７ゴムベルト先端の輪作り部分を図４−２に入れる為、輪作り縫製を施し、この輪作り部分を図４−２へ入れて着用者各位のゴムベルト調整で固定させる。
【００１３】    襟は、タートルネックにして頸を締め付けないために襞を取り、図１−３前身頃ファスナーはウエストの切り替えなしで、襟首から股下までファスナー１本仕上げとし、上半身の着脱を無理なくスムースに行え、もう１つの理由として、雨天の日は通常より体も冷え易く小用便の兆しを考慮に入れ、股下の空気孔は縫い目の集合位置に設ける。図１−４脇線ファスナーは、４Ａ踝辺りをファスナー開閉初め口とし、膝部分を通り、ウエスト・脇下を通り、袖八分位をファスナー止めとし、両脇で２本のファスナーを使用する。図１−２Ａ袖口はメンファスナーを使用する。図１−２Ｂの後ろ身頃の切り換え線で、図１−２Ｃヒップの縦襞を沢山縫込み２Ｄヒップ部分の横襞は脇線縫いを使い沢山の襞を取り、２Ｅ膝部分も脇線縫いを使い、横襞縫を沢山設け全身に余裕を取る。
【００１４】    図１−２Ｆ足首ベルトは、足裾巾の調整や脱いだ靴カバーを止める役目とする。図１−２Ｇの靴カバーの前足首となる部分に３段位のタックを施し、このタック部分に靴の爪先が触れる時に爪先を少し下に向けることでタックが解け、爪先を少し上に向けることでタックが戻り、履いたり脱いだり等を楽にする。踵の高さは、ペダルの対応としてサイズに関らず約２ｃｍ強とする。
【産業上の利用可能性】
【００１５】    子供を乗せ、朝夕と頑張る大人や、部活動で大きな荷物を二輪車の前や後ろに乗せ頑張る学生さん、近年の傘もさせない強風雨やバイク走行の人達、そして学童を誘導する人、手旗信号を送る人、強風の日、整えた髪型が気になる人にも役立て欲しい。
【符号の説明】
【００１６】  １  ヘッドカバー本体
２  繋ぎ靴カバー付雨合羽本体
３  前身頃ファスナー
４  脇線ファスナー
５  後ろ肩巾用バックル
６  前肩巾用バックル
７  ゴムベルト
【図１】
0003182867.tif 000003
【図２】
0003182867.tif 000004
【図３】
0003182867.tif 000005
【図４】
0003182867.tif 000006
【手続補正書】
【提出日】平成24年10月29日(2012.10.29)
【手続補正１】
【補正対象書類名】実用新案登録請求の範囲
【補正対象項目名】全文
【補正方法】変更
【補正の内容】
【実用新案登録請求の範囲】
【請求項１】
本考案は、以前から使用されている雨合羽のフード部分をヘッドカバーに置き換え、雨合羽本体の上下着を繋ぎに靴カバーを添え付け一着物とする、ヘッドカバーと繋ぎ靴カバー付き雨合羽の説明とする。
１、  ヘッドカバーの素材は無色透明の樹脂材を使い厚みは数ミクロン又は数ｍｍ            で、天辺はＲを用い全体の形は円形型で内径を空洞成形にして頭から肩に至            る全てをすっぽり被さる
２、  円形帯状を頭の部分に施し庇を設け軒を設けその軒に空気孔を数十個施す
３、  顔面部分は庇と軒を設けた径の終点地から円筒形にして、天辺０度から数十            ｃｍ下った所からは全長最後の頸下まで斜めの裾広がりを取る
４、  耳辺りは外径から内径に向け斜め上向きに数十個の小さい孔を明ける
５、  側面の耳下辺りから肩に至り前肩巾と後ろ肩巾に添いＲを施し肩に乗せる部            分の素材は他部分より厚めの形成加工を施す
６、  所へ両前肩と後ろ肩の肩巾に添い４本の穴を明け両肩前後にバックルを差し            込みゴムベルトを取り付けて腕を通しヘッドカバーを固定する
７、  付属部品はバックルとゴムベルトだけで固定ができる
個人考案で、頭の上下左右が自由に出来て視界も多く取れ、風でヘッドカバーも飛ばさず簡単着脱で整えた顔や髪型も崩す事無く、二輪車走行や歩行時にも役立つ所を強調とする
【請求項２】
請求項１で示した繋ぎ靴カバー付き雨合羽の外側生地は撥水性の有る素材を使い内側の生地は網目素材を使用し、靴カバー部分の素材は樹脂材を使用する、付属部品はファスナー、両口用開閉ファスナー、メンファスナー
１、  襟は襟足に少し襞を施したスタンドカラーにする
２、  前身頃は襟から股下までウエスト切り替えなしの１本ファスナーで開閉させ            る
３、  股下は前身頃・後ろ身頃・股下縫いの縫い目集合位置に空気孔を設ける
４、  後ろ身頃はウエストで数ｃｍの帯状切り替えを付け、この縫い目を使いヒッ            プ方向に襞を沢山設け両脇線の縫い目も使いヒップに向け沢山の襞を施す
５、  両膝辺りは脇線の縫目と股下線の縫目を使い膝に向け沢山の襞を施す
６、  両脇２本の両口開閉用ファスナーで脇線縫いの踝から袖八分まで開閉し袖口            は面テープで止める
７、  全てのファスナー部分に持ち出しを設けて、この持ち出しにメンファスナー            を所々に施す
８、  足首に靴カバー止めとして長めのベルトを設け数分の１を面ファスナーで止            める
９、  雨合羽足裾に靴カバーを繋げる作業としては踝の上辺りから繋げ強度を保つ            為の加工として接着加工の上から縫製加工を施す
１０、靴カバー前足首の内踝辺りから外踝辺りに向け数本のダーツを設ける
１１、踵はペダル対応で段差を施す
【手続補正２】
【補正対象書類名】明細書
【補正対象項目名】０００１
【補正方法】変更
【補正の内容】
【０００１】    個人考案は、雨天に使用するが故、コーチングを施し簡単且つ１分弱で着脱が出来、頭の天辺から爪先に至る全てを濡らさない工夫を凝らした、ヘッドカバーと繋ぎ靴カバー付き雨合羽に関する物
【手続補正３】
【補正対象書類名】明細書
【補正対象項目名】０００２
【補正方法】変更
【補正の内容】
【０００２】    フード付き雨合羽で、フードの摩擦が生じ、強風の時など生え際辺りの紐を締めることで目元まで被さり、雨で目を開けることもままならず整えた顔や髪型もむなしく足先においては履物も濡らす、この対応策として拝見させていただいた文献の多くは沢山の部品が取り付けられて雨の対応に手間がかかった等、例えば特許文献１や４。
【手続補正４】
【補正対象書類名】明細書
【補正対象項目名】０００６
【補正方法】変更
【補正の内容】
【０００６】    ヘッドカバーが風で飛ばされない工夫として、風雨の当たりが和らぐように天辺をＲにし頭の天辺から肩に至るまで全部をすっぽり被り、肩に至ったところで腕を通し固定させる工夫でバックルを使いゴムベルトを乗せたり潜らせたりする等、またヘッドカバー内側を曇らせない工夫として頭の部分に数十個の孔を設け、素材の課程で側面を除き鼻の辺りから顎の下辺りまで、斜めに下ろし頭部分で数十個の孔と風の交流も試みて通気性を考慮に入れる。
【手続補正５】
【補正対象書類名】明細書
【補正対象項目名】００１１
【補正方法】変更
【補正の内容】
【００１１】  図１は全体図。図１−１はヘッドカバー本体で本体素材の厚みは数ミクロンから数ｍｍで天井はＲにして最大直径を約φ３０ｃｍとしこのＲ部分の先端の裏に空気孔を設ける為、図２−１Ａ−１庇を円形に添って深さ約３ｃｍで天辺に向け４５度斜めに作り、この庇に１Ａ−２軒下を中心直径に向け約３ｃｍ幅の円形帯状を設けこの帯状に添って、１Ａ−３直径約１．５ｃｍの孔を数十個明ける。図１−１Ｂ顔面部分は円筒形にして耳の辺りに外径から内径の斜め上向きに直径約２ｍｍの孔を数十個明け、１Ｃ側面の耳下位から前肩巾と後ろ肩巾に至る部分の素材を少し厚めにして同じ１Ｃの左右両頬骨の巾分位を顎下辺りまで２３度斜めに下ろす、その基準としては鼻の頭位とする、この広がった裾巾と図２−１Ａ−３空気孔で風の流通を取る。
【手続補正６】
【補正対象書類名】明細書
【補正対象項目名】００１２
【補正方法】変更
【補正の内容】
【００１２】    図１−１ヘッドカバーの全てが肩の辺りまで至ったら、図２−１Ｃ−１前肩巾から後ろ肩巾に添いＲを付け定着させ、風でヘッドカバーが飛ばない工夫として図１−７ゴムベルトを脇下に通すため図２−１Ｃ−１で先端部分を肩巾に添って抜けるまで、両肩４本の穴を明けこの穴を１Ｄとしこの１Ｄに、図３後ろ肩巾用バックルを両肩とも１の部分を最後まで押し込み２に図１−７ゴムベルトを跨がせるが、ゴムベルト先端部分の長さをバックル長さの２倍位まで跨がせ、この先端部分を再び図３の３と４のバックル空間に入れて４の上に寄り添わせるように乗せゴムベルトを引っ張る、後端部分のゴムベルトは２と３のバックル空間に入れて再び３と４の空間に入れ引っ張る、この時点でゴムベルトの先端部分と後端部分のゴムベルトが重なり重なったゴムベルトを４の上に乗せて左右の後ろ肩巾用バックルで着用者各位のゴムベルト調整が出来上がったら、この作業は摩耗で取り換える時のみ行い、図４前肩巾用バッツクルの１の部分を両肩の前肩巾で図１−１Ｄの穴に最後まできちんと押し込み安定させゴムベルト先端部分は輪作り縫製を施すため、図４−２に輪作り部分を入れるだけで固定が出来る。
【手続補正７】
【補正対象書類名】明細書
【補正対象項目名】００１３
【補正方法】変更
【補正の内容】
【００１３】    襟は、タートルネックにして頸を締め付けないために襞を取り、図１−３前身頃ファスナーはウエスト切り替えなしで、襟首から股下まで１本のファスナー仕上げとする理由として、上半身の着脱を無理なくスムースに行い股下の縫い目集合位置に空気孔を設け、もう１つの理由としては雨天の日等通常より体も冷え易く小用便の兆しを考慮に入れた。図１−４両口開閉用ファスナーは４Ａファスナーフックを持って、膝部分を通りウエスト・脇下を通って袖八分位をファスナー終点地として両脇で２本の両口開閉用ファスナーを使用する。図１−２Ａ袖口のベルト部分と２Ｆ足首ベルト数分の１をメンファスナーの使用で開閉とする、尚２Ｆ足首ベルトは足裾中の調整や脱いだ靴カバーを止める役目とする。図１−２Ｂ後ろ身頃のウエスト切り換え線で、２Ｃヒップの縦襞を沢山縫込み２Ｄヒップ部分の横襞は脇線の縫目を使い沢山の襞を取る、２Ｅ膝部分も脇線の縫目と股下線の縫い目を使い横襞縫を沢山設け全身に余裕を取る。
【手続補正８】
【補正対象書類名】明細書
【補正対象項目名】００１４
【補正方法】変更
【補正の内容】
【００１４】    図１−２で足裾に２Ａ靴カバーを縫い合わせる加工で、本体と２Ｇ靴カバー部分の素材は違うが前足首の外踝と内踝間に３段位のタックを施し、タック部分に靴の爪先が触れる時に爪先を少し下に向けることでタックが解け、爪先を少し上に向けることでタックが戻り、履いたり脱いだり等を楽にする、この部分も個人考案の強調とする所。踵の高さはペダルの対応としてサイズに関らず約２ｃｍ強とする。
【手続補正９】
【補正対象書類名】明細書
【補正対象項目名】００１６
【補正方法】変更
【補正の内容】
【００１６】１  ヘッドカバー本体
２  繋ぎ靴カバー付雨合羽本体
３  前身頃ファスナー
４  両口開閉用ファスナー
５  後ろ肩巾用バックル
６  前肩巾用バックル
７  ゴムベルト
８  メンファスナー
【手続補正１０】
【補正対象書類名】図面
【補正対象項目名】図１
【補正方法】変更
【補正の内容】
【図１】
0003182867.tif 000007
【手続補正１１】
【補正対象書類名】図面
【補正対象項目名】図２
【補正方法】変更
【補正の内容】
【図２】
0003182867.tif 000008
【手続補正書】
【提出日】平成25年1月25日(2013.1.25)
【手続補正１】
【補正対象書類名】実用新案登録請求の範囲
【補正対象項目名】全文
【補正方法】変更
【補正の内容】
【実用新案登録請求の範囲】
【請求項１】
ヘッドカバーと、雨合羽本体と、靴カバーとを有する雨合羽において、
（１）前記ヘッドカバーは、円形部分と、前記円形部分に接続される円筒形部分と、前記    円筒形部分に接続される裾広がり部分とを有する、
（２）前記円形部分は、空気孔を備える、
（３）前記円筒形部分は、外径から内径に向けて斜め上向きの孔を備える、
（４）前記裾広がり部分は、４つの孔を備え、前記４つの孔に、それぞれ差し込まれたバ    ックルを備え、前記バックルに取り付けられたゴムベルトを備る、
以上の（１）〜（４）の構成からなる、ヘッドカバーと、靴カバーとを有する雨合羽。
【請求項２】
請求項１記載の雨合羽において、
（１）前記雨合羽本体の襟は襞を備える、
（２）前記雨合羽本体の前身頃は、襟首から股下まで切り替えを設けず、１本の前身頃フ    ァスナーで開閉可能である、
（３）前記雨合羽本体の前記前身頃と後ろ身頃との股下における縫い目位置に空気孔を備    える、
（４）前記後ろ身頃は切り替えを有し、前記後ろ身頃の切り替え線において襞を備える、
（５）前記前身頃と前記後ろ身頃とは、踝部分から袖八分まで両脇２本のファスーによっ    て開閉可能である、
（６）前記雨合羽本体の袖口部分にメンファスナーを備える、
（７）前記雨合羽本体の足首部分に靴カバーを止めるための足首ベルトを備える、
以上の（１）〜（７）の構成からなる請求項１記載の雨合羽。
【手続補正２】
【補正対象書類名】明細書
【補正対象項目名】全文
【補正方法】変更
【補正の内容】
【考案の詳細な説明】
【技術分野】
【０００１】  個人考案は、前記請求項（１）と（２）で、上下繋ぎに靴カバーも備えた一着物故、着脱が１分弱で熟せ、頭から爪先に至る全て濡らさない工夫の、ヘッドカバーと、雨合羽本体。
【背景技術】
【０００２】  フード付き雨合羽で、フードの摩擦が生じ、強風雨で前記フードの生え際辺りの紐を締めることでフードが目元まで被さり、雨で目を開けることもままならず。整えた顔や髪型も虚しくまた足先においては、履物も濡らす、前記対応策として拝見させて頂いた文献の多くは部品が多く、雨の対応に手間がかかった。
【先行技術文献】
【特許文献】
【０００３】
【特許文献１】  ２０１０−３７７０５
【特許文献２】  ２０１２−１８７２
【特許文献３】  ２０１０−２２９５８８
【特許文献４】  ３１６１９３１
【考案の概要】
【考案が解決しようとする課題】
【０００４】  個人考案で、前記請求項（１）の、身頃に繋がれたフードに無いヘッドカバーの特徴や、前記ヘッドカバーが風で飛ばされない工夫と、通気性を備えた物。【０００５】  繋ぎ特有の、首回りが苦しく感じた件と、ヒップや膝の突張感と窮屈感を和らげ、靴も濡らさない工夫を備える前記請求項（２）の雨合羽。
【課題を解決するための手段】
【０００６】  ヘッドカバーが風で飛ばされない工夫と、風雨の圧が和らぐように天辺をＲにし、頭から肩に至る全部をすっぽり被せ、前記ヘッドカバーが肩に至ったところで、腕を通せる工夫とし、請求項１の（４）でバックルとゴムベルトを使い、前記ゴムベルトを前記バックルに乗せたり潜らせたりする等で整え、またヘッドカバー内側を曇らせない工夫として、請求項１の（１）〜（３）で頭の部分に数十個の孔を備え、請求項１の（１）の素材課程において側面は除き、鼻の辺りから顎の下まで斜めに下ろし、前記円形部分と前記円筒形部分に数十個の孔で空気の交流を計る。【０００７】  前記繋ぎ１着物の雨合羽本体に関しては、請求項２（１）襟首に少しの襞を備えることで首を絞め付けず、タートルネックにすることで例えば、ヘルメット着用者が個人考案の雨合羽を着用する場合でも、雨が後頭部から頸に伝わる事も無く、また請求項２の（４）と（５）でヒップや膝に沢山の縦襞や横襞を備え、頸から膝下も拘束せず、靴カバーも備えた前記雨合羽一着物とする。
【考案の効果】
【０００８】  強風雨が多くなった現在においても、自転車乗用する人の多くが片手に傘、片手にハンドルの自転車走行と、バイク乗用する人や、人が歩行する場合も傘が無理で、整えた顔や髪型も虚しく、前記考案の請求項１と請求項２で、利便性を備えたヘッドカバーと、靴カバーとを有する雨合羽。
【図面の簡単な説明】
【０００９】
【図１】  ヘッドカバーと、靴カバーとを有する雨合羽の全図
【図２】  ヘッドカバー天辺空気孔部分と肩部分の図
【考案を実施するための形態】
【００１０】  前記考案は、実施の形態の図に基づいて説明する。
前記ヘッドカバーは、全体の形が円形型で、内径を空洞成形にし、前記円形部分に庇を備え、前記庇裏に軒を備えた径の終点地の円形部分と、前記円形部分に接続される円筒形部分と、前記円筒形部分に接続される裾広がり部分とを有する物で、ヘッドカバーの素材は無色透明の樹脂を、雨合羽本体の素材は、表地を撥水性の有る繊維を、裏地は網目を備える繊維を使い、靴カバー部分は樹脂でも前記ヘッドカバーとは違う樹脂材を使い、色は老若男女を問わない薄煉瓦色で、手袋は備えない。
【００１１】  図１は全体図。図１−１はヘッドカバー本体で、本体素材の厚みは数ミクロンから数ｍｍとし、前記天井はＲを備え最大直径を約φ３５ｃｍとし、前記請求項１の（２）で図２の先端先の庇裏に空気孔を設ける為、図２−１Ａ−１庇を前記請求項１の（１）と（２）で円形３６０度、奥行４５度深さ約３ｃｍ前記庇を備え、前記庇に１Ａ−２軒下を円形３６０度、巾約３ｃｍを帯状に備える所に、１Ａ−３直径約１．５ｃｍの孔を数十個明け備える。前記請求項１の（１）と（３）で図１−１Ｂ円筒形顔面部分の耳辺りに外径から内径の斜め上向きに直径約２ｍｍの孔を数十個明け、前記円筒形図１−１Ｃ側面は、素材を少し厚めにし前肩巾と後ろ肩巾に至り、前記請求項１の（１）〜（４）で、図１−１Ｃ両頬骨の巾分位を、約鼻頭を基準として顎下まで２３度斜に備え、図２−１Ａ−３空気孔とで、風の流通を取る。
【００１２】  前記請求項１の（１）で、ヘッドカバー図１−１Ｃが肩まで至り、前記ヘッドカバーが風で飛ばない工夫として、図２−１Ｃ−１前肩巾から後ろ肩巾に添いＲを備えた前記先端部分を肩巾に添い抜けるまで両肩４つの穴を明け、前記穴を図２の１Ｄとし、前記１Ｄに図１−５後ろ肩巾用バックルと図１−６前肩巾用バックルを両肩共差し込み、前記バックルに図１−７ゴムベルトを左右共に備え、着用者各位のゴムベルト調整が出来上がったら、前記図１−７ゴムベルトに関し、摩耗で取り換える時のみ行う作業とし、  前記請求項１の（１）〜（４）の、風でヘッドカバーを飛ばさず、頭も自由に動かせ、整えた顔や髪も崩さず、視界も広く取れる。  所を個人考案とする。
【００１３】  前記請求項２の（１）で、襟はタートルネックにし、頸の負担を最小限に抑える為に襞を取り、前記請求項２の（２）と（３）で、図１−３前身頃ファスナーはウエストの切り替えなしで、襟首から股下まで１本のファスナー仕上げとし、上半身の着脱を無理なくスムースに出来ることも含め、雨天の日は通常よりも体が冷え易く小用便の兆しも考慮に入れた、股下の縫い目集合位置には空気孔を備えた、前記請求項２の（４）と（５）で図１−２Ｂ後ろ身頃のウエスト切り換え線で図１−２Ｃヒップの縦襞を備え、図１−２Ｄヒップ部分の横襞は脇線の縫目を使い沢山の襞を備え、図１−２Ｅ膝部分も脇線の縫目と股下線の縫い目を使い横襞縫を備え、図１−４は両口開閉用ファスナーに４Ａはファスナーフックで、袖八分から踝に至るまで、両脇２本の前記両口開閉用ファスナーを備える、前記請求項２の（６）と（７）で図１−２Ａ袖口のベルト部分と、図１−２Ｆ足首ベルトの１部分をメンファスナーで開閉し、前記２Ｆ足首ベルトは足裾巾の調整や脱いだ靴カバーを止める役目とする。
【００１４】  図１−２Ｇ靴カバーの前足首部分の外踝と内踝間に２〜３段のタックを備え、前記タックは、足の爪先を上下に動かすことで収縮が出来履く脱ぐが楽に熟せる。前記靴カバー踵の高さはサイズに関らず、ペダル対応で２ｃｍとする。
【産業上の利用可能性】
【００１５】  近年の傘もさせない強風雨で、前に後ろに子供を乗せ朝夕と頑張る人や、部活動で大きな荷物を二輪車の前籠や背中に背負って頑張る学生さん、学童や工事現場で手旗信号を送る人、整えた髪型に、バイク走行する人にも。
【符号の説明】
【００１６】  １  ヘッドカバー本体
２  雨合羽本体と、靴カバーとを有する雨合羽
３  前身頃ファスナー
４  両口開閉用ファスナー
５  後ろ肩巾用バックル
６  前肩巾用バックル
７  ゴムベルト
８  メンファスナー
【手続補正３】
【補正対象書類名】図面
【補正対象項目名】図３
【補正方法】削除
【補正の内容】
【手続補正４】
【補正対象書類名】図面
【補正対象項目名】図４
【補正方法】削除
【補正の内容】